(57)【要約】【課題】  コンクリート系パネルを基礎部又は床に取付ける際の下地鋼材の取付けを容易にするとともに、パネルの取付けを効率よく実施できる下地取付け金具と、それを用いてアンカーと下地鋼材との位置調整を簡単にするコンクリート系パネル取付け構造を提供する。【解決手段】  コンクリート系パネル下端部に設ける下地鋼材を取付ける金具であって、方形鋼板に対角線に沿った長穴を有する下地取付け金具。  基礎コンクリートに設置されたアンカー頭部に下地取付け金具の長穴を挿入して溶接又はナットで締め付け固定し、該下地取付け金具をコンクリート系パネル下端部に設ける下地鋼材に密着させて溶接固定し、さらに下地鋼材にコンクリート系パネル取付け用ボルト及びコンクリート系パネル取付け用アンカーを介してコンクリート系パネルを取り付けてなるコンクリート系パネルの取付構造。【選択図】    図１
2008214950.tif 000002
【特許請求の範囲】
【請求項１】
建物の基礎部又は床にコンクリート系パネルを取付ける際に、該コンクリート系パネル下端部に設ける下地鋼材を取付ける金具であって、方形鋼板に対角線に沿った長穴を有することを特徴とする下地取付け金具。
【請求項２】
前記長穴の中心線が前記方形鋼板の対角線上に有ることを特徴とする請求項１に記載の下地取付け金具。
【請求項３】
前記方形鋼板が長方形であることを特徴とする請求項１または２に記載の下地取付け金具。
【請求項４】
建物の基礎部又は床にコンクリート系パネルを取付ける際に、基礎コンクリートに設置されたアンカー頭部に前記請求項１から３のいずれか１項に記載の下地取付け金具の長穴を挿入して溶接又はナットで締め付け固定し、該下地取付け金具を前記コンクリート系パネル下端部に設ける下地鋼材に密着させて溶接固定し、さらに下地鋼材にコンクリート系パネル取付け用ボルト及びコンクリート系パネル取付け用アンカーを介してコンクリート系パネルを取り付けてなることを特徴とするコンクリート系パネルの取付構造。
【請求項５】
前記下地取付け金具を下地鋼材に固定する際に、下地鋼材と同じ厚さ以下の下地取付け金具を使用することを特徴とする請求項４に記載のコンクリート系パネルの取付構造。
【発明の詳細な説明】
【技術分野】
【０００１】
本発明は、コンクリート系パネルを建築物の基礎部又は床に取付けて壁を構成するために使用する、下地取付け金具及びコンクリート系パネルの取り付け構造に関する。
【背景技術】
【０００２】
従来からコンクリート系パネルを建築物の躯体に取付けるには、様々な取付け構造がある。
例えば図６に示されるコンクリート系パネルの取付け構造では、基礎コンクリート５に設置されたアンカー６の頭部６ａを下地取付け金具１０の丸穴１１に挿入して固定し、下地鋼材２と下地取付け金具を溶接により固定する。しかる後、コンクリート系パネル取付け金具３にコンクリート系パネル取付け用アンカー８とコンクリート系パネル取付け用ボルト７を介してコンクリート系パネル４を固定し、このコンクリート系パネル取付け金具３を下地鋼材２に溶接してコンクリート系パネル４を取り付ける方法である。
その際、アンカーは所定の位置に設置されなければならないが、アンカーの位置精度を確保するのは難しい。
【０００３】
この時使用する従来の下地取付け金具２０は、例えば図７に示されるように、アンカーと下地鋼材との位置調整用に、方形鋼板１に丸穴１１が偏芯してあけられており、下地取付け金具１０を回転することにより、段階的に位置調整をして固定するように構成されているものである（例えば、非特許文献１参照。）。
あるいはまた図８に示される下地取付け金具３０では、アンカーと下地鋼材との位置調整用に長穴９が方形鋼板の一辺に沿ってあけられており、一方向のみ下地鋼材と下地取付け金具の位置調整が出来るようになったものである。
さらに図９で示した溶接用座金４０は、方形鋼板１の中央に長穴９があけられており、長穴９の部分で方形鋼板１を断面Ｓ字状に折り曲げてあるものも提案されている。（例えば特許文献１参照。）。この溶接用座金４０は、図１０に示すように下地鋼材２を基礎コンクリート５に仮置きした後、アンカー６に溶接用座金４０をかぶせて、下地鋼材２とアンカー６を溶接して固定するものである。
【非特許文献１】クリオン株式会社  テクニカル・ハンドブック  P.104及びP.337  2006年５月発行
【特許文献１】特開平９−２７９６０３号公報
【発明の開示】
【発明が解決しようとする課題】
【０００４】
アンカー設置作業は、コンクリート系パネル工事の範囲に入らず、アンカー筋の場合はコンクリート打設作業時に予めコンクリート打設作業者により行われ、後打ちアンカーの場合はコンクリート打設作業後に作業者により設置作業が行われ、そのアンカー設置精度は、コンクリート系パネルを取付ける作業に必要な精度が保たれていない問題があった。
【０００５】
前述の図７の下地取付け金具２０は、アンカーと下地鋼材との位置調整は段階的にしか出来ないので、微細な調整がしにくい問題があった。アンカーと下地鋼材の間隔調整範囲が限られているため、溶接用金物である下地取付け金具の使用が不可能となる問題があった。また、図８の下地取付け金具３０は、長穴が金具の長辺又は短辺に対して平行にしか明けられておらず、調整が出来る範囲が狭いという問題があった。
さらに、図９に示される溶接用座金４０は、下地鋼材の上にかぶさる形状のため、下地鋼材の上に溶接用座金が突出してしまうので、地震時の建物の揺れに際してコンクリート系パネルが振動した場合に、溶接用座金と干渉し合ってコンクリート系パネルの免震機構を阻害する。この場合には干渉する部分を溶接用座金の形状に合わせてはつるなど、施工性に問題があった。
また、同様な場合にはコンクリート系パネルの取付け金具等と干渉し、施工するうえで障害となる問題があった。
本発明は、コンクリート系パネルを基礎部又は床に取付ける際の下地鋼材の取付けを容易にするとともに、パネルの取付けを効率よく実施できる下地取付け金具を提案する。この発明は、アンカーと下地鋼材との位置調整を簡単にすると共に、調整範囲を拡大することを目的としている。
【課題を解決するための手段】
【０００６】
本発明の一つは、建築物の固定部材にコンクリート系パネルを取付けるに際し、下地鋼材をあらかじめ基礎部に設置されたアンカー等と接合を行うために使用する下地取付け金具であって、方形鋼板に対角線に沿った長穴を有する下地取付け金具である。
この下地取付け金具を使用すれば、基礎部、躯体部、腰壁部等の建物の基礎部にコンクリート系パネルを取り付けて壁を形成する場合に、下地取付け金具に設けた長穴により調整範囲を大きく取ることが出来る。また、下地取付け金具を回転して使用することにより、アンカーと下地鋼材の間隔が離れていても対応できる範囲を拡大することが出来る。
また、下地鋼材と下地取付け金具は厚さが同等以下であり、下地鋼材上面に金具が被さらないので、地震時の揺れに際してコンクリート系パネルが振動した場合に金具と干渉しあってコンクリート系パネルの免震機構を阻害しない。
同様は、下地鋼材と下地取付け用金具の厚さが同等以下であり、下地鋼材上面に金具が被さらないので、コンクリート系取付け用金具等と干渉して、施工する上で障害となることはない。
本発明の下地取付け金具においては、前記長穴の中心線が前記方形鋼板の対角線上に設けたものとすることができる。また、前記方形鋼板は長方形のものを使用することができる。
【０００７】
また、本発明の他の一つは、上記本発明の下地取付け金具を使用したコンクリート系パネルの取付構造であって、建物の基礎部にコンクリート系パネルを取付ける際に、基礎コンクリートに設置されたアンカー頭部に前記本発明の下地取付け金具の長穴を挿入して溶接又はナットで締め付け固定し、該下地取付け金具を前記コンクリート系パネル下端部に設ける下地鋼材に密着させて溶接固定し、さらに下地鋼材にコンクリート系パネル取付け用ボルト及びコンクリート系パネル取付け用アンカーを介してコンクリート系パネルを取り付けてなるコンクリート系パネルの取付構造とした。
このようなコンクリート系パネルの取付構造とすれば、アンカーと下地鋼材との間隔の調整が容易に出来ると共に調整範囲を拡大することができ、コンクリート系パネルの施工性を向上させると共にコンクリート系パネルの免震機構を妨げないので、建物の安全性を高めることが出来る。
【発明の効果】
【０００８】
本発明の下地取付け金具は、方形鋼板の対角線上に設けられた長穴により、アンカーと下地鋼材との間隔の調整が容易に出来ると共に、下地取付け金具を回転させることにより調整範囲を拡大することができ、コンクリート系パネルの施工性を向上させることが出来ると共にコンクリート系パネルの免震機構を妨げないので、建物の安全性を高めることが出来る。
【発明を実施するための最良の形態】
【０００９】
先ず、本発明の下地取付け金具について説明する。図１に本発明の下地取付け金具の外観斜視図を示す。
本発明の下地取付け金具１０は、方形鋼板１の対角線に沿って長穴９を設けたものである。方形鋼板１は図示省略のコンクリート系パネル下端に取り付ける下地鋼材に溶接固定するためのものであって、厚さは当該下地鋼材の厚さ以下とし、大きさは図示省略のアンカーボルトにナット止めできる程度又はアンカーと溶接に支障がない程度の大きさがあれば良い。方形鋼板１は長方形であっても正方形でも良い。またナットで固定した際、パネルとナットが干渉する場合には、コンクリート系パネルの下面を部分的にはつるなどして対応する。
長穴９は方形鋼板１の対角線にほぼ沿っていれば良く、長穴９の中心線が方形鋼板１の対角線に一致していれば長穴の長さを最も長くとれて、位置調整の範囲が広がるので好ましい。長穴９の大きさは、建物基礎に設置されたアンカーボルトに応じた適当な大きさに設定すれば良い。
【００１０】
次に、本発明のコンクリート系パネルの取付構造について説明する。図２は本発明のコンクリート系パネルの取付構造の一例を示す外観斜視図である。
図に示したように、本発明のコンクリート系パネルの取付構造は、建物の基礎コンクリート５に埋設されたアンカー６の頭部６ａに本発明の下地取付け金具１の長穴９を挿入し、平帯鋼からなる下地鋼材２との間隔を調整した後、アンカーと下地取付け金具１０を溶接又はナットで固定すると共に、下地取付け金具１０を下地鋼材２に溶接して固定する。下地鋼材２にはコンクリート系パネル固定金具３を固定し、コンクリート系パネル固定金具３に立てたコンクリート系パネル用アンカー８をコンクリート系パネル４の固定用孔に差し込んで、コンクリート系パネルを固定する。
【００１１】
図３に本発明のコンクリート系パネルの他の取付構造の外観斜視図を示す。このコンクリート系パネルの取付構造では、下地鋼材２としてアングル鋼材を使用し、アングル鋼材の垂直辺にコンクリート系パネル固定金具３を溶接固定する。コンクリート系パネル固定金具３にはコンクリート系パネル取付け用ボルト７が水平に固定されており、このコンクリート系パネル取付け用ボルト７をコンクリート系パネル４内に埋設したコンクリート系パネル用アンカー８に挿入することによりコンクリート系パネルを固定する。
【００１２】
図４は、床部に使用する際の本発明の下地取付け金具を使用したコンクリート系パネルの取付け構造の一例を説明する斜視図である。
このコンクリート系パネルの取付け構造では、建物のコンクリート床１４に複数の対になったアンカー６，６’が埋設されており、コンクリート床１４上にこれらアンカー６，６’に挟まれるようにして下地鋼材２が置かれている。なお、アンカーの配置は千鳥状又は片側のみでも良い。各アンカー６，６’に本発明の下地取付け金具１０の長穴状切り欠き１２を挿入し、下地鋼材２と下地取付け金具１０の間隔を調整した後、下地取付け金具１０を下地鋼材２に溶接して固定する。下地鋼材２を介してコンクリート系パネルを取付ける方法は、前述のいずれの方法を用いても良いので、ここでは詳しい説明は省略する。
【００１３】
以上説明したように、本発明のコンクリート系パネルの他の取付構造は、いずれも基礎コンクリート又は床に設置されたアンカー頭部に本発明の下地取付け金具１０の長穴９を挿入し、該下地取付け金具を前記コンクリート系パネル下端部に設ける下地鋼材に密着させて溶接固定した後、前記下地取付け金具を前記アンカー頭部に溶接又はナットで締め付け固定し、さらに下地鋼材にコンクリート系パネルを固定するコンクリート系パネルの取付構造である。
【００１４】
本発明で使用する下地取付け金具は方形鋼板の対角線上に設けられた長穴を有するので、アンカーと下地鋼材との間隔の調整を容易にすることができる。図５に本発明のコンクリート系パネルの取付構造におけるアンカー６と下地取付け金具の長穴９との位置関係を例示する。図において、（ａ）はアンカー６が下地取付け金具の長穴９の中心に位置する場合で、アンカー６と長穴９の中心との距離はＬである。
（ｂ）はアンカー６が下地鋼材に近づいた場合で、アンカー６と長穴９の中心との距離はＬ′でＬよりも短い。この場合方形鋼板１を（ａ）の位置よりも紙面右（左）方向にずらすことにより、下地取付け金具を下地鋼材２に密接させることができる。
（ｃ）はアンカー６が下地鋼材２から離れた場合を示す。アンカー６と長穴９の中心との距離はＬ″でＬよりも長い。この場合方形鋼板１を（ａ）の位置よりも紙面右（左）方向にずらすことにより、下地取付け金具を下地鋼材２に密接させることができる。
このようにしてアンカー６と下地鋼材２との間隔が多少変化しても、位置調整することにより下地取付け金具を下地鋼材２に密接させることができる。
また、方形鋼板１が長方形の場合には、下地取付け金具を回転させることにより、調整範囲をさらに拡大することができ、コンクリート系パネルの施工性を向上させることが出来る。
【図面の簡単な説明】
【００１５】
【図１】本発明の下地取付け金具を示す外観斜視図である。
【図２】本発明のコンクリート系パネルの取付構造の一例を示す外観斜視図である。
【図３】本発明のコンクリート系パネルの取付構造の他の例を示す外観斜視図である。
【図４】床部にコンクリート系パネルを取付ける本発明のコンクリート系パネルの取付構造の一例を説明する斜視図である。
【図５】本発明のコンクリート系パネルの取付構造におけるアンカーと下地取付け金具の位置関係を説明する図であって、（ａ）は、アンカーが下地取付け金具の中心に位置する場合、（ｂ）はアンカーが下地鋼材に近づいた場合、（ｃ）はアンカーが下地鋼材から離れた場を示す。
【図６】従来のコンクリート系パネルの取付構造の一例を示す図である。
【図７】従来の下地取付け金具の一例を示す外観斜視図である。
【図８】従来の下地取付け金具の他の例を示す外観斜視図である。
【図９】従来の溶接用金具の別の例を示す外観斜視図である。
【図１０】従来の溶接用金具を用いたコンクリート系パネルの取付構造の一例を説明する斜視図である。
【符号の説明】
【００１６】
１  方形鋼板、
２  下地鋼材、
３  コンクリート系パネル取付け金具、
４  コンクリート系パネル、
５  基礎コンクリート、
６  アンカー、
７  コンクリート系パネル取付け用ボルト、
８  コンクリート系パネル取付け用アンカー、
９  長穴、
１０，２０，３０，４０  下地取付け金具、
１１  丸穴
１２  長穴状の切り欠き
１３  アンカー芯
１４  コンクリート床
【図１】
2008214950.tif 000003
【図２】
2008214950.tif 000004
【図３】
2008214950.tif 000005
【図４】
2008214950.tif 000006
【図５】
2008214950.tif 000007
【図６】
2008214950.tif 000008
【図７】
2008214950.tif 000009
【図８】
2008214950.tif 000010
【図９】
2008214950.tif 000011
【図１０】
2008214950.tif 000012